(57)【特許請求の範囲】
【請求項１】
複数の光源と、前記複数の光源から放射された複数の光束を異なる偏向面で偏向走査する回転多面鏡と、前記回転多面鏡の異なる偏向面で偏向走査された複数の光束を異なる被走査面上に結像させる複数の走査レンズ系と、前記回転多面鏡の偏向面で偏向走査された光束を検知する同期検知センサーと、前記前記回転多面鏡の偏向面で偏向走査された光束を前記同期検知センサーに導く同期検出用光学素子と、を有する光走査装置において、
前記回転多面鏡は、４つの偏向面を有し、前記複数の光源から放射され、前記回転多面鏡の異なる偏向面に入射した複数の光束のうち任意の２つの主光線のなす主走査断面内のなす角度は１０°以下であり、かつ、
前記回転多面鏡の外接円の半径は、５ｍｍ以上１５ｍｍ以下であり、かつ、
前記複数の光源と前記同期検知センサーは、同一の基板に配置され、かつ、
前記複数の光源から前記回転多面鏡に至るまでの光路中に、前記複数の光源から放射された複数の光束をそれぞれ前記回転多面鏡の偏向面上に線像として結像させ、かつ、前記複数の光源毎に配置された複数のシリンドリカルレンズを有し、かつ、
前記複数のシリンドリカルレンズと前記同期検出用光学素子は、一体で構成されていることを特徴とする光走査装置。
【請求項２】
請求項１に記載の光走査装置を複数有し、各々の光走査装置の被走査面に配置され、互いに異なった色の画像を形成する複数の像担持体とを有することを特徴とするカラー画像形成装置。
【請求項３】
外部機器から入力した色信号を異なった色の画像データに変換して各々の光走査装置に入力せしめるプリンタコントローラを有することを特徴とする請求項２に記載のカラー画像形成装置。
【発明の詳細な説明】
【０００１】
【発明の属する技術分野】
本発明は光走査装置及びそれを用いた画像形成装置に関し、特に光源から光変調され出射した光束を回転多面鏡等より成る偏向器で反射偏向（偏向走査）させた後、ｆθ特性を有する走査レンズ系を介して被走査面上を光走査して画像情報を記録するようにした、例えば電子写真プロセスを有するレーザービームプリンターやデジタル複写機やマルチファンクションプリンタ（多機能プリンタ）等の画像形成装置に好適なものである。
【０００２】
【従来の技術】
従来よりレーザービームプリンター（ＬＢＰ）やデジタル複写機やマルチファンクションプリンタ等の光走査装置においては画像信号に応じて光源から光変調され出射した光束（レーザービーム）を、例えば回転多面鏡（ポリゴンミラー）より成る偏向器により周期的に偏向させ、ｆθ特性を有する走査レンズ系によって感光性の記録媒体（感光ドラム）面上にスポット状に集束させ、その面上を光走査して画像記録を行っている。
【０００３】
図９は従来の光走査装置の要部斜視図である。
【０００４】
同図において一方の光源９１ａから出射した発散光束はコリメーターレンズ９２ａにより略平行光束とされた後、副走査方向にのみ所定の屈折力を有するシリンドリカルレンズ９３ａに入射する。シリンドリカルレンズ９３ａに入射した略平行光束のうち主走査断面内においてはそのままの状態で射出する。また副走査断面内においては集束してポリゴンミラーから成る偏向器９４の偏向面（反射面）９４ａにほぼ線像として結像している。
【０００５】
そして偏向器９４の偏向面９４ａで反射偏向された光束をｆθ特性を有する走査レンズ系（ｆθレンズ系）９５を介して被走査面としての感光ドラム９９ａ上に導光し、該偏向器９４を矢印Ａ方向に回転させることによって該感光ドラム９９ａ上を矢印Ｂ方向に光走査して画像情報の記録を行なっている。
【０００６】
他方の光源９１ｂから出射した発散光束も、光源９１ａから出射した発散光束と同様に、該偏向器９４を矢印Ａ方向に回転させることによって、該感光ドラム９９ｂ上を矢印Ｃ方向に光走査して画像情報の記録を行なっている。
【０００７】
尚、コリメーターレンズ９２ａ（９２ｂ）、シリンドリカルレンズ９３ａ（９３ｂ）等の各要素は各々入射光学系の一要素を構成している。
【０００８】
このように一つの偏向器（ポリゴンミラー）で複数の光束を偏向走査することで、従来一つの光束に一つ必要であった偏向器を省くことができ、これによって装置全体の小型化及び低コスト化が図られている。
【０００９】
【発明が解決しようとする課題】
しかしながら上記の光走査装置においては、複数の光源に対してそれぞれ独立に光学部品（入射光学系）を有するため部品点数が多くなり、装置全体が大型化に成るという問題点があった。そのため更なる小型化及び低コスト化を図る上には部品点数の削減が課題となっていた。
【００１０】
本発明は装置全体の小型化及び低コスト化を図ることができる簡易な構成の光走査装置及びそれを用いた画像形成装置の提供を目的とする。
【００１１】
【課題を解決するための手段】
請求項１の発明の光走査装置は、複数の光源と、前記複数の光源から放射された複数の光束を異なる偏向面で偏向走査する回転多面鏡と、前記回転多面鏡の異なる偏向面で偏向走査された複数の光束を異なる被走査面上に結像させる複数の走査レンズ系と、前記回転多面鏡の偏向面で偏向走査された光束を検知する同期検知センサーと、前記前記回転多面鏡の偏向面で偏向走査された光束を前記同期検知センサーに導く同期検出用光学素子と、を有する光走査装置において、
前記回転多面鏡は、４つの偏向面を有し、前記複数の光源から放射され、前記回転多面鏡の異なる偏向面に入射した複数の光束のうち任意の２つの主光線のなす主走査断面内のなす角度は１０°以下であり、かつ、
前記回転多面鏡の外接円の半径は、５ｍｍ以上１５ｍｍ以下であり、かつ、
前記複数の光源と前記同期検知センサーは、同一の基板に配置され、かつ、
前記複数の光源から前記回転多面鏡に至るまでの光路中に、前記複数の光源から放射された複数の光束をそれぞれ前記回転多面鏡の偏向面上に線像として結像させ、かつ、前記複数の光源毎に配置された複数のシリンドリカルレンズを有し、かつ、
前記複数のシリンドリカルレンズと前記同期検出用光学素子は、一体で構成されていることを特徴としている。
【００１２】
請求項２の発明のカラー画像形成装置は、請求項１に記載の光走査装置を複数有し、各々の光走査装置の被走査面に配置され、互いに異なった色の画像を形成する複数の像担持体とを有することを特徴としている。
【００１３】
請求項３の発明は請求項２の発明において、外部機器から入力した色信号を異なった色の画像データに変換して各々の光走査装置に入力せしめるプリンタコントローラを有することを特徴としている。
【００２４】
【発明の実施の形態】
［実施形態１］
図１は本発明の実施形態１の光走査装置（レーザービームプリンター）の主走査方向の要部断面図（主走査断面図）である。
【００２５】
尚、本明細書においては走査レンズ系の光軸と偏向器により偏向された光束とが形成する面を主走査断面、走査レンズ系の光軸を含み主走査断面と直交する面を副走査断面と定義する。
【００２６】
図中、Ｓ１，Ｓ２は各々第１、第２の走査ユニット（以下、「ステーション」とも称す。）である。第１、第２の走査ユニットＳ１，Ｓ２は、各々光源（１ａ，１ｂ）からの光束を規制する開口絞り（２ａ，２ｂ）と、該光束の状態を他の光束の状態に変換する第１の光学素子（３ａ，３ｂ）と、主走査方向に長い線像として結像させる第２の光学素子（４ａ，４ｂ）と、偏向手段としての偏向器５と、該偏向器５からの光束を被走査面（８ａ，８ｂ）にスポットに形成する走査レンズ系（１５ａ，１５ｂ）とを有している。
【００２７】
本実施形態においては第１、第２の走査ユニットＳ１，Ｓ２が同一の偏向器５を併用しており、かつ第１、第２の走査ユニットＳ１，Ｓ２は、該偏向器５の異なった偏向面で反射偏向（偏向走査）した光束を用いている。
【００２８】
また本実施形態においては第１、第２の走査ユニットＳ１，Ｓ２の被走査面としての感光ドラム面（８ａ，８ｂ）への書き出しタイミングを、偏向器５の偏向面からの光束を書き出し位置検知手段（ＢＤ光学系）１６で検出し、該書き出し位置検知手段１６からの信号を用いて決定している。
【００２９】
また第１、第２の走査ユニットＳ１，Ｓ２は光束が偏向器５に対して同一方向から入射するように構成されている。本実施形態では２つの光源（実施形態１では２つの光源１ａ、１ｂを用いた場合を示したが２以上あっても良い。）１ａ、１ｂから放射された２つの光束の主光線のなす角度が２０°以下（実施形態１では０°、即ち平行）となるようにしている。即ち、２つの光源１ａ，１ｂからの光束は走査レンズ系１５ａ，１５ｂの光軸Ｌａ，Ｌｂに対して９０°の角度をもって偏向器５に入射している。
【００３０】
尚、光束の主光線とは開口絞り２ａ、２ｂの中心を通過する光線をいう。
【００３１】
上記第１、第２の走査ユニットＳ１，Ｓ２において、光源１ａ，１ｂは各々半導体レーザ（光源）より成り、また光源１ａと光源１ｂは同一の平面基板１２に配置されている。尚、光源１ａと光源１ｂは各々独立に配置しても良い。
【００３２】
開口絞り２ａ，２ｂは各々光源１ａ，１ｂから出射された光束を所望の最適なビーム形状に成形している。
【００３３】
第１の光学素子３ａ，３ｂは各々コリメーターレンズより成り、開口絞り２ａ，２ｂを通過した光束を略平行光束もしくは発散光束もしくは収束光束に変換している。
【００３４】
第２の光学素子４ａ，４ｂは各々シリンドリカルレンズより成り、副走査方向のみに所定の屈折力を有している。本実施形態においてはこの２つのシリンドリカルレンズ４ａ，４ｂをプラスティックモールド等で一体的に成形している。
【００３５】
尚、光源（１ａ，１ｂ）、開口絞り（２ａ，２ｂ）、コリメーターレンズ（３ａ，３ｂ）、シリンドリカルレンズ（４ａ，４ｂ）等の各要素は入射光学系の一要素を構成している。
【００３６】
偏向器５は、例えば偏向面数が４面より成る回転多面鏡（ポリゴンミラー）より成り、その外接円の半径が１５ｍｍ以下（本実施形態では１０ｍｍ）より成り、モーター等の駆動手段（不図示）により図中矢印Ａ方向に一定速度で回転している。本実施形態においては上記の如く第１、第２の走査ユニットＳ１，Ｓ２がこの偏向器５を併用しており、かつ第１、第２の走査ユニットＳ１，Ｓ２は、該偏向器５の異なった偏向面で反射偏向した光束を用いている。
【００３７】
走査レンズ系１５ａ，１５ｂは各々第１、第２の２枚の走査レンズ６ａ，７ａ・６ｂ，７ｂより成り、偏向器５により反射偏向された光束を被走査面８ａ，８ｂ上にスポット状に結像させている。また走査レンズ系１５ａ，１５ｂは副走査断面内において光偏向器５の偏向面近傍と被走査面８ａ，８ｂ近傍との間を共役関係にすることにより、倒れ補正機能を有している。第１、第２の走査レンズ６ａ，７ａ・６ｂ，７ｂは設計自由度の高い非球面プラスチックレンズで構成されている。
【００３８】
１６は書き出し位置検知手段（ＢＤ光学系）であり、同期検出用レンズ（以下、「ＢＤレンズ」と記す。）９と、スリット（以下、「ＢＤスリット」と記す。）１１と、同期検知センサー（以下、「ＢＤセンサー」と記す。）１０とを有し、各走査ユニットＳ１，Ｓ２の被走査面８ａ，８ｂへの書き出しタイミングを決定している。
【００３９】
本実施形態におけるＢＤレンズ９は各走査ユニットＳ１，Ｓ２のシリンドリカルレンズ４ａ，４ｂと一体で構成されており、偏向面５ａで反射偏向された同期検出用の光束（ＢＤ光束）をＢＤスリット１１面上に結像させ、主走査断面内ではＢＤスリット１１上を走査し、副走査断面内では偏向面とＢＤスリット１１とが略共役であるため、偏向面の面倒れ補正系となっている。
【００４０】
ＢＤスリット１１は画像の書き出し位置を決めている。
【００４１】
本実施形態ではこのＢＤセンサー１０と、２つの光源１ａ，１ｂとを同一の平面基板１２上に一体で構成している。尚、ＢＤセンサー１０と、２つの光源１ａ，１ｂとを各々独立に構成しても良い。
【００４２】
本実施形態においては、まず第１のステーションＳ１において、画像情報に応じて光源１ａから光変調され出射した光束が開口絞り２ａにより規制され、コリメーターレンズ３ａにより略平行光束もしくは収束光束に変換され、シリンドリカルレンズ４ａに入射する。シリンドリカルレンズ４ａに入射した光束のうち主走査断面内においてはそのままの状態で出射する。また副走査断面内においては収束して偏向器５の偏向面５ａにほぼ線像（主走査方向に長手の線像）として結像する。そして偏向器５の偏向面５ａで反射偏向された光束は走査レンズ系１５ａにより感光ドラム面８ａ上にスポット状に結像され、該偏向器５を矢印Ａ方向に回転させることによって、該感光ドラム面８ａ上を矢印Ｂ方向（主走査方向）に等速度で光走査している。これにより記録媒体である感光ドラム面８ａ上に画像記録を行っている。
【００４３】
このとき感光ドラム面８ａ上を光走査する前に該感光ドラム面８ａ上の走査開始位置のタイミングを調整する為に、偏向器５の偏向面５ａで反射偏向された光束の一部（ＢＤ光束）をＢＤレンズ９によりＢＤスリット１１面上に集光させた後、ＢＤセンサー１０に導光している。そしてＢＤセンサー１０からの出力信号を検知して得られた書き出し位置検知信号（ＢＤ信号）を用いて感光ドラム面８ａ上への画像記録の走査開始位置のタイミングを調整している。
【００４４】
第２のステーションＳ２においては，光源１ｂから出射した光束が第１の走査ユニットＳ１の入射方向と同一方向（２つの光束の主光線のなす角度が０°、即ち平行）から偏向器５の偏向面５ｂに入射し、該偏向面５ｂで反射偏向された光束が走査レンズ系１５ｂにより感光ドラム面８ｂ上にスポット状に結像され、光走査される。
【００４５】
本実施形態では走査レンズ系１５ａ，１５ｂが面倒れ補正系を構成している為、偏向面からの光束は発散光束となる。この為、複数の光束の主光線のうち任意の２つの主光線のなす角度を２０°以下にして光束のケラレをなくしつつ、偏向器５に最も近接する第１の走査レンズ６ａ、６ｂと偏向器５との間の距離を短くしている。これにより第１の走査レンズ６ａ、６ｂの主走査方向と副走査方向の有効径を小さくしている。
【００４６】
また本実施形態では所定の走査角度を確保しつつ偏向器５から被走査面８ａ，８ｂまでの距離を短くすることができ、これにより装置全体を小型化している。
【００４７】
尚、２つの光源１ａ，１ｂからの光束を偏向器５に互いに逆方向から入射させるときは２つの光束の主光線が交差する角度を２０°以下にすれば良い。
【００４８】
また偏向器５の偏向面が４つのときは、２つの光束の主光線のなす角度を１０°以下にするとシリンドリカルレンズの小型化が容易となり更に好ましい。
【００４９】
図２は図１に示した光走査装置の偏向器の入射側の拡大図である。同図に示すように２つの光源１ａ，１ｂから放射された光束Ｒａ，Ｒｂを同一方向から偏向器に入射させるときには２つの光源１ａ，１ｂから放射される光束Ｒａ，Ｒｂの主光線のなす角度を上記の如く２０°以下、ここでは０°（即ち平行）とすることにより、シリンドリカルレンズが配置される位置での２本の光束Ｒａ，Ｒｂを接近させ、これにより２つのシリンドリカルレンズ４ａ，４ｂを一体で構成することを可能としている。さらに本実施形態ではＢＤレンズ９とも一体化することで更に部品点数を削減して、装置全体の小型化を図っている。
【００５０】
図３は本実施形態のシリンドリカルレンズを副走査方向から眺めた図である。同図において入射光束Ｒａが通過するレンズ面ＥＡ１、入射光束Ｒｂが通過するレンズ面ＥＡ２、及び同期検出用光束ＢＤが通過するＢＤレンズ面ＥＢ１が前述の如くプラスティックモールドにより一体で成形されている。
【００５１】
本実施形態のように光束Ｒａ，Ｒｂを走査レンズ系１５ａ，１５ｂの光軸Ｌａ，Ｌｂに対して９０°で入射させるためには、偏向器の面数を少なくすることが望ましい。図９に示した６面より成る偏向器の場合、偏向面で入射光束がけられないようにするため、通常は６０°前後の入射角を採用している。これでは２本の入射光束の主光線のなす角度が６０°前後となり、シリンドリカルレンズ近傍での２つの光束が離れてしまい、一体化することが困難となる。６面より成る偏向器において、９０°入射をさせることも可能であるが、その場合光線のけられが生じないように偏向面の主走査方向のサイズを大きくしなければならず、装置全体が大型化するという別の課題が生じてしまう。
【００５２】
また、４面より成る偏向器を採用したとしても、ポリゴンミラーのサイズが大きいと、光束の主光線のなす角度を０°にしたところで、２本のビーム間が広がってしまい、一体化が困難となる。それゆえ偏向面の外接円の半径を１５ｍｍ以下とすることが、シリンドリカルレンズ一体化のために望ましい。また所定の大きさの光束を反射偏向する為には外接円の半径を５ｍｍ以上とするのが良い。
【００５３】
本実施形態では偏向面数４、外接円の半径１０ｍｍの偏向器５を採用し、走査レンズ系１５ａ，１５ｂの光軸Ｌａ，Ｌｂに対し９０°方向から２本の光束Ｒａ，Ｒｂを入射させることで、シリンドリカルレンズ近傍での２本の光束の主光線の間隔を１０．７ｍｍとし、２つのシリンドリカルレンズ４ａ、４ｂ及びＢＤレンズ９を一体化し、部品点数を削減して装置全体の小型化を図っている。
【００５４】
また本実施形態では通常それぞれの光源に対して独立に存在していたレーザー基板及び同期検知センサー用基板を全て一体化することでも装置全体の小型化及び低コスト化を図っている。
【００５５】
尚、第１、第２の走査ユニットＳ１，Ｓ２においては走査レンズ系（１５ａ，１５ｂ）を２枚のレンズより構成したが、これに限らず、例えば単一、もしくは３枚以上のレンズより構成しても良い。
【００５６】
本実施形態においては２色の画像形成装置に用いる場合は、本装置を１つだけ用いればよく、後述するように４色のカラー画像形成装置に用いる場合は、本装置を２つ用いて画像を形成すれば良い。
【００５７】
図４はカラー画像形成装置の要部概略図であり、図１に示す光走査装置を２組並列にして配置し、２つの偏向器により合計４本の走査線を描画している。
【００５８】
同図においてはポリゴンミラー（偏向器）５で反射偏向されて第１の走査レンズ６ａ、６ｂ，６ｃ，６ｄを通過した後の４つの光束を、折り返しミラー１３ａ，１３ｂ，１３ｃ，１３ｄにより各々９０°図面上、下に折り曲げ第２の走査レンズ７ａ，７ｂ，７ｃ，７ｄを介し、対応する感光ドラム８ａ，８ｂ，８ｃ，８ｄ面上へ導いている。
【００５９】
（実施形態２）
図５は本発明の光走査装置の実施形態２の偏向器の入射側の拡大図である。同図において図２に示した要素と同一要素には同符番を付している。
【００６０】
本実施形態において前述の実施形態１と異なる点は偏向面に入射する２本の入射光束Ｒａ、Ｒｂの主光線のなす角度を１０°と設定した点である。その他の構成及び光学的作用は実施形態１と略同様であり、これにより同様な効果を得ている。
【００６１】
即ち、本実施形態では同図に示した通り、それぞれの入射光束Ｒａ，Ｒｂの主光線に対して、レンズ面が垂直になるように一方のシリンドリカルレンズ４ａを他方のシリンドリカルレンズ４ｂに対して１０°傾くように配置してある。但し、２本の入射光束Ｒａ，Ｒｂの主光線のなす角度が１０°程度であれば、シリンドリカルレンズを前記図２に示したようなストレートで構成し、レンズ面に対してそれぞれ５°傾斜した光束を入射するようにしても収差上問題とならない。
【００６２】
このような光走査装置において、入射光束Ｒａ，Ｒｂの主光線のなす角度が２０°以上であると、光線の通過しない非有効部が長くなる（即ちレンズ自体が大きくなる）ので、一体化が困難となってくる。よって、入射光束Ｒａ，Ｒｂの主光線のなす角度は２０°以下、望ましくは本実施形態のように１０°以下に設定するのが良い。また偏向器のサイズも前述した如く、その外接円の半径を１５ｍｍ以下、望ましくは１０ｍｍ以下に設定するのが良い。
【００６３】
（実施形態３）
図６は本発明の光走査装置の実施形態３の副走査方向の要部断面図（副走査断面図）である。同図において図１に示した要素と同一要素には同符番を付している。
【００６４】
本実施形態において前述の実施形態１と異なる点は、偏向器を副走査断面内において２段より構成し、それぞれの偏向器５Ａ，５Ｂを同一の回転軸Ｏを中心に回転させて４つの走査ユニット(ステーション)Ｓ１〜Ｓ４より構成した点である。その他の構成及び光学的作用は実施形態１と略同様であり、これにより同様な効果を得ている。
【００６５】
即ち、本実施形態では図面上、上段の偏向器５Ａで反射偏向（走査）される光束は第１の走査レンズ６ｃ、６ｄを通過した後、３枚の折り返しミラー１３ｃ、１４ｃ、１５ｃ・１３ｄ，１４ｄ，１５ｄで光路を折り曲げた後、それぞれ対応する感光体ドラム８ｃ，８ｄに導かれる。下段の偏向器５Ｂで反射偏向（走査）される光束は走査レンズ６ａ，６ｂを通過した後、１枚の折り返しミラー１３ａ，１３ｂで光路を折り曲げた後、それぞれ対応する感光体ドラム８ａ，８ｂに導かれる。
【００６６】
このように構成することで、前述の実施形態１と比較してポリゴンモータを一つ省略することが可能となる。
【００６７】
図７は本実施形態で使用されるシリンドリカルレンズを副走査方向から眺めた図である。
【００６８】
同図においては１つの偏向器の異なる偏向面に２本の光束が入射し、それを上下２段(副走査方向に２段)持つため入射光束は合計４本となる。本実施形態においてはそれぞれの光束が通過するレンズ面ＥＡ１、ＥＡ２、ＥＡ３、ＥＡ４が光学樹脂により一体で成形されている。更にＢＤ光束が通過するＢＤレンズ面ＥＢ１、ＥＢ２も合わせて一体で成形されている。
【００６９】
［カラー画像形成装置］
図８は本発明の実施態様のカラー画像形成装置の要部概略図である。本実施形態は、光走査装置を２個並べ各々並行して像担持体である感光ドラム面上に画像情報を記録するタンデムタイプのカラー画像形成装置である。
【００７０】
図８において、７０はカラー画像形成装置、２１，２３は各々実施形態１又は２に示したいずれの構成を有する光走査装置、５１，５２，５３，５４は各々像担持体としての感光ドラム、３１，３２，３３，３４は各々現像器、６１は搬送ベルトである。
【００７１】
図８において、カラー画像形成装置７０には、パーソナルコンピュータ等の外部機器６２からＲ（レッド）、Ｇ（グリーン）、Ｂ（ブルー）の各色信号が入力する。これらの色信号は、装置内のプリンタコントローラ６３によって、Ｃ（シアン），Ｍ（マゼンタ），Ｙ（イエロー）、Ｂ（ブラック）の各画像データ（ドットデータ）に変換される。これらの画像データは、それぞれ光走査装置２１，２３に入力される。そして、これらの光走査装置２１，２３からは、各画像データに応じて変調された光ビーム４１，４２，４３，４４が出射され、これらの光ビームによって感光ドラム５１，５２，５３，５４の感光面が主走査方向に走査される。
【００７２】
本実施態様におけるカラー画像形成装置は光走査装置（２１，２３）を２個並べ、各々がＣ（シアン），Ｍ（マゼンタ），Ｙ（イエロー）、Ｂ（ブラック）の各色に対応し、各々平行して感光ドラム５１，５２，５３，５４面上に画像信号（画像情報）を記録し、カラー画像を高速に印字するものである。
【００７３】
本実施態様におけるカラー画像形成装置は上述の如く２つの光走査装置２１，２３により各々の画像データに基づいた光ビームを用いて各色の潜像を各々対応する感光ドラム５１，５２，５３，５４面上に形成している。その後、記録材に多重転写して１枚のフルカラー画像を形成している。
【００７４】
前記外部機器６２としては、例えばＣＣＤセンサを備えたカラー画像読取装置が用いられても良い。この場合には、このカラー画像読取装置と、カラー画像形成装置７０とで、カラーデジタル複写機が構成される。
【００７５】
【発明の効果】
本発明によれば前述の如く複数の光源から放射された複数の光束の主光線のうち任意の２つの主光線のなす角度を適切に設定し、また複数の光源から偏向器に至るまでの光路中に、該複数の光源毎に配置されるシリンドリカルレンズを一体で構成することにより、装置全体の小型化及び低コスト化を図ることができる簡易な構成の光走査装置及びそれを用いた画像形成装置を達成することができる。
【図面の簡単な説明】
【図１】  本発明の実施形態１の主走査断面図
【図２】  本発明の実施形態１の入射光学系の主走査断面図
【図３】  本発明の実施形態１のシリンドリカルレンズの副走査断面図
【図４】  本発明の実施形態１の副走査断面図
【図５】  本発明の実施形態２の入射光学系の主走査断面図
【図６】  本発明の実施形態３の副走査断面図
【図７】  本発明の実施形態３のシリンドリカルレンズの副走査断面図
【図８】  本発明の光走査装置を用いたカラー画像形成装置の副走査断面図
【図９】  従来の光走査装置の要部斜視図
【符号の説明】
１ａ、１ｂ‥‥光源
２ａ、２ｂ‥‥開口絞り
３ａ、３ｂ‥‥コリメーターレンズ
４ａ、４ｂ‥‥シリンドリカルレンズ
５‥‥偏向器（ポリゴンミラー）
６ａ、６ｂ、６ｃ、６ｄ‥‥第１の走査レンズ
７ａ、７ｂ、７ｃ、７ｄ‥‥第２の走査レンズ
８ａ、８ｂ、８ｃ、８ｄ‥‥被走査面（感光ドラム面）
９‥‥同期検出用レンズ
１０‥同期検知センサー
１１‥スリット
１２‥基板
１３ａ、１３ｂ、１３ｃ、１３ｄ‥‥折り返しミラー
１４ｃ、１４ｄ、１４ｃ、１４ｄ‥‥折り返しミラー
１５ａ‥‥第１の走査レンズ系
１５ｂ‥‥第２の走査レンズ系
２１，２３‥‥光走査装置
３１，３２，３３，３４‥‥現像器
４１，４２，４３，４４‥‥光ビーム
５１，５２，５３，５４‥‥感光体ドラム
６１‥‥搬送ベルト
６２‥‥外部機器
６３‥‥プリントコントローラ
７０‥‥カラー画像形成装置
【図１】
0004227335.tif 000002
【図２】
0004227335.tif 000003
【図３】
0004227335.tif 000004
【図４】
0004227335.tif 000005
【図５】
0004227335.tif 000006
【図６】
0004227335.tif 000007
【図７】
0004227335.tif 000008
【図８】
0004227335.tif 000009
【図９】
0004227335.tif 000010